(57)【要約】【課題】テレビなどに表示される画像の画質を調整するときにガンマ値、色相などの画質パラメータの意味や特性を知らなくても簡単に好みの画像に調整できるようにする。【解決手段】調整する画質パラメータに合わせた調整用画像を予めメモリ４に記憶し、調整するときはその調整用画像に対して画像パラメータの調整値を複数変化させた複数枚の調整表示画像を生成してモニタ８に表示し、その中から好みの画像を操作部２から選択することで画質調整部７で調整する画質パラメータの値を決定する。【選択図】図１
2007235506.tif 000002
【特許請求の範囲】
【請求項１】
入力された画像に対して少なくとも１種類の画質パラメータを調整可能な調整手段を備えた画像調整装置において、
前記画質パラメータを調整するための調整用画像の前記画質パラメータを異ならせた複数の調整表示画像を表示する表示手段と、
前記表示手段に表示した複数の前記調整表示画像のうち選択された一つの調整表示画像を取り込む取り込み手段と、
前記取り込み手段が取り込んだ前記調整用画像の前記画質パラメータの値に基づいて入力画像を前記調整手段に調整させるように制御する制御手段と、を備えたことを特徴とする画像調整装置。
【請求項２】
前記調整用画像を入力する調整用画像入力手段と、
前記調整用画像入力手段から入力された前記調整用画像から前記複数の調整表示画像を生成する調整表示画像生成手段と、を備え、
前記表示手段は、前記調整表示画像生成手段が生成した前記複数の調整表示画像を表示することを特徴とする請求項１記載の画像調整装置。
【請求項３】
前記調整表示画像を入力する調整表示画像入力手段を備え、
前記表示手段は前記調整表示画像入力手段から入力された前記調整表示画像を表示することを特徴とする請求項１記載の画像調整装置。
【請求項４】
調整する前記画質パラメータが複数ある場合には、予め前記記憶手段に各画質パラメータ毎に前記調整用画像を記憶したことを特徴とする請求項１乃至３のうちいずれかに記載の画像調整装置。
【請求項５】
一つの前記画質パラメータに対して複数の前記調整用画像を前記記憶手段に記憶し、前記複数の調整用画像に対して各々前記画質パラメータの調整を行うことを特徴とする請求項１乃至４のいずれかに記載の画像調整装置。
【請求項６】
入力された画像に対して少なくとも１種類の画質パラメータを調整可能な画像調整方法において、
前記画質パラメータを調整するための調整用画像の前記画質パラメータを異ならせた複数の調整表示画像を表示し、表示した複数の前記調整表示画像のうち選択された一つの前記調整表示画像を取り込んで、前記一つの調整表示画像の前記画質パラメータの値に基づいて入力画像を調整することを特徴とする画像調整方法。
【発明の詳細な説明】
【技術分野】
【０００１】
本発明は、画像の色相やガンマ値などの画質パラメータによって画質を調整する画像調整装置および画像調整方法に関する。
【背景技術】
【０００２】
従来、テレビなどに表示される画像の画質調整は、テレビ本体にある画質調整用のツマミやボタンなどを操作するか、リモコンなどで、画面に調整したい画質パラメータ（例えば色相など）を表示させて調整を行っていた。しかし、このような調整方法では表示されている画像全体が調整によって変化してしまうため、どの程度調整されたのかを把握することが困難であった。そこで、このような問題を解決するために特許文献１に記載の調整方法が提案されている。特許文献１に記載の調整方法は、画面を例えば２分割し、一方を調整前の画像、他方を調整後の画像というように表示することで、どの程度調整されたのかを把握し易くしている。
【特許文献１】特開２００１−２６８４７５号公報
【発明の開示】
【発明が解決しようとする課題】
【０００３】
特許文献１に記載の調整方法では、どの程度調整されたかは把握できるが、各画質パラメータの内容をある程度理解して調整を行う必要があるため、どの画質パラメータをどの程度調整すれば好みの画像になるのか画質パラメータの知識の無い一般ユーザには把握することが困難であった。
【０００４】
そこで、本発明は、例えば画像の調整パラメータの特性などを意識せずに、簡単に好みの画像に画質調整可能な画像調整装置および画像調整方法を提供することを課題とする。
【課題を解決するための手段】
【０００５】
上記課題を解決するために、請求項１記載の発明は、入力された画像に対して少なくとも１種類の画質パラメータを調整可能な調整手段を備えた画像調整装置において、前記画質パラメータを調整するための調整用画像の前記画質パラメータを異ならせた複数の調整表示画像を表示する表示手段と、前記表示手段に表示した複数の前記調整表示画像のうち選択された一つの調整表示画像を取り込む取り込み手段と、前記取り込み手段が取り込んだ前記調整用画像の前記画質パラメータの値に基づいて入力画像を前記調整手段に調整させるように制御する制御手段と、を備えたことを特徴としている。
【０００６】
請求項４記載の発明は、入力された画像に対して少なくとも１種類の画質パラメータを調整可能な画像調整方法において、前記画質パラメータを調整するための調整用画像の前記画質パラメータを異ならせた複数の調整表示画像を表示し、表示した複数の前記調整表示画像のうち選択された一つの前記調整表示画像を取り込んで、前記一つの調整表示画像の前記画質パラメータの値に基づいて入力画像を調整することを特徴としている。
【発明を実施するための最良の形態】
【０００７】
以下、本発明の一実施形態にかかる画像調整装置を説明する。本発明の一実施形態にかかる画像調整装置は、画像の画質を調整する際に、画質パラメータ調整用の画像に対して画質パラメータを異ならせた複数の調整表示画像を表示手段に表示し、その中から選択された一つの調整表示画像の値で調整手段を調整させるように制御手段で制御する。このようにすることにより、ユーザは同じ画像の画像パラメータだけを変化させた複数の画像の中から好みの画質の画像を選択すればよいので、パラメータの意味や特性を理解して値を直接操作しなくても直感的に画質調整を行うことができる。
【０００８】
また、画像パラメータ調整用画像を調整用画像入力手段から入力し、その調整用画像から複数の調整表示画像を調整表示画像生成手段で生成し、表示手段で表示してもよい。このようにすることにより、複数の調整表示画像を予め入力せずに、画質調整を行うことができる。
【０００９】
また、調整表示画像入力手段から複数の調整表示画像を入力し、それを表示手段で表示するようにしてもよい。このようにすることにより、調整表示画像を生成する必要がなくなり回路規模などを小さくすることができる。
【００１０】
また、調整する画質パラメータが複数ある場合には、記憶手段に各画質パラメータ毎に対応する調整用画像を記憶してもよい。このようにすることにより、複数の画質パラメータを調整する場合でも各画質パラメータに適した画像で調整できるので調整の精度が高まる。
【００１１】
また、一つの画質パラメータに対して複数の調整用画像を記憶手段に記憶し、複数の調整用画像を調整して、一つの画質パラメータの調整を行ってもよい。このようにすることによって、１つの調整用画像で調整するよりも画質パラメータの特性により合わせた調整を行うことができる。
【００１２】
また、本発明の一実施形態にかかる画像調整方法は、画像を調整する際に、画質パラメータ調整用画像の画質パラメータを異ならせた複数の調整用画像を表示し、その中から選択して画質パラメータの調整値を決定する。このようにすることにより、ユーザは同じ画像の画質パラメータだけを変化させた複数の画像の中から好みの映像を選択すればよいので、パラメータの意味や特性を理解して値自体を直接操作しなくても直感的に画質調整を行うことができる。
【実施例１】
【００１３】
本発明の第１の実施例にかかる画像調整装置１を図１ないし図６を参照して説明する。画像調整装置１は図１に示すように操作部２と、ＣＰＵ３と、メモリ４と、画像入力端子５と、セレクタ６と、画質調整部７と、モニタ８とを備えている。
【００１４】
取り込み手段としての操作部２は、画像調整装置１から出力される画像をユーザが調整するための入力装置であり、調整時に使用するカーソルキーや決定キーなどを備えている。また、操作部２はリモコンなどの画像調整装置１を遠隔操作できるようなものでもよい。
【００１５】
制御手段としてのＣＰＵ３は、図示しないＲＯＭ（Read Only Memory）やＲＡＭ（Random Access Memory）を備え、操作部２からの指示を受けて、ＲＯＭに記憶された制御プログラムによって画像調整装置１全体の制御を行う。
【００１６】
調整用画像入力手段としてのメモリ４は、不揮発性のメモリ素子であり、各画質パラメータを調整するに適した画像が各画質パラメータ毎に予め記録されている。
【００１７】
セレクタ６は、メモリ４から出力される各種画質パラメータ調整用画像と、画像入力端子５から入力される例えばテレビチューナやビデオデッキ、ＤＶＤ（Digital Versatile Disk）プレーヤなどからの入力画像とをＣＰＵ３からの制御により切替える。
【００１８】
調整手段、調整表示画像生成手段としての画質調整部７は、入力された画像に対して各画質パラメータの調整を行いモニタ８に出力する。画質調整部７はガンマ値調整７１、色温度調整７２、色相調整７３、彩度調整７４から構成されている。ガンマ値調整７１、色温度調整７２、色相調整７３、彩度調整７４は画質調整部７に入力される画像に対して各画像パラメータを調整すると共に、ＣＰＵからの指示によって調整表示画像を生成する。画質パラメータとはガンマ値、色温度、色相、彩度などのように変化させることによって画像の色や輝度など画質を変化させることのできるパラメータをいう。
【００１９】
ガンマ値調整７１は、入力された画像に対して、画質パラメータとしてのガンマ値の調整を行う。ガンマ値とは入力信号レベルと、表示される画像の明るさの変化の比を表すパラメータであり、入力信号と出力する画像の色との関係を表す特性をガンマ特性と呼ぶ。ガンマ値を調整することで、中間階調から明るい方向の輝度を詳細に表示できるようにしたり、逆に暗い階調を詳細に表示できるようにガンマ特性を変更することができる。
【００２０】
色温度調整７２は、入力された画像に対して、画質パラメータとしての色温度の調整を行う。色温度とは、ある色の光が黒体をどの程度に熱した時に発する色かを絶対温度で表したパラメータであり、色温度が高いほど短波長光を多く含んで青っぽく、色温度が低いほど長波長光を含んで赤っぽくなる。すなわち、色温度を調整することで画像全体を青っぽくするか赤っぽくするかを調整できる。
【００２１】
色相調整７３は、入力された画像に対して、画質パラメータとしての色相の調整を行う。色相とは赤、青、緑といった色みを表すパラメータであり、色相を調整することで画像の色みを調整することができる。
【００２２】
彩度調整７４は、入力された画像に対して、画質パラメータとしての彩度の調整を行う。彩度とは色の鮮やかさを表すパラメータであり、彩度を調整することで画像の鮮やかさを調整することができる。
【００２３】
表示装置としてのモニタ８は画像入力端子５またはメモリ４から画質調整部７を経由して各種画質パラメータが調整された画像が表示される表示装置であり、ＣＲＴ（Cathode Ray Tube）や液晶またはプラズマディスプレイなどで構成される。
【００２４】
次に、図１に示すような構成からなる画像調整装置１において、ユーザが操作部２を操作してモニタ８に表示される画像を好みの画質に調整する際の動作を図２に示すフローチャートを参照して説明する。図２に示したフローチャートは、ＣＰＵ３のＲＯＭに記憶されている制御プログラムをＣＰＵ３において実行することで実現される。
【００２５】
まず、ステップＳ１において、操作部２からユーザがボタン操作などにより画質調整指示をＣＰＵ３に対して行われているか否かを判断し、指示されている場合（Ｙの場合）はステップＳ２へ進み、指示されていない場合（Ｎの場合）は再度判断する。
【００２６】
次に、ステップＳ２において、お好み調整モードか通常調整モードかのいずれかをユーザが操作部２から選択する。お好み調整モードとは本発明の調整方法が適用されたモードであり、お好み調整モードが選択された場合はステップＳ３に進む。通常調整モードとは従来行われていた調整方法であり、通常調整モードが選択された場合はステップＳ１１に進む。
【００２７】
次に、ステップＳ３において、一括調整モードか選択調整モードかのいずれかを選択する。一括調整モードとは以降行われるガンマ値、色温度、色相、彩度の４項目全てを調整するモードであり、一括調整モードが選択された場合はステップＳ４に進む。選択調整モードとはガンマ値、色温度、色相、彩度の中から選択した項目を調整するモードであり、選択調整モードが選択された場合はステップＳ８に進む。
【００２８】
次に、ステップＳ４において、ガンマ値の調整を行ってステップＳ５に進む。調整方法は以下のように行う。まず、メモリ４から記憶している例えば図３のようなガンマ値調整用画像１００を読み出し、セレクタ６をメモリ４からの入力が選択されるように切替えて画質調整部７に入力する。ＣＰＵ３は画質調整部７のガンマ値調整７１に対して、予め定めた４種類の調整値を与えて、同じ調整用画像でガンマ値のみ異なる４枚の調整表示画像１０１、１０２、１０３、１０４をモニタ８に図４（ａ）のように表示する。図４（ａ）は図３の調整用画像１００に対してガンマ値という画像パラメータが異なる４枚の調整表示画像を模式的に表現した図である。ユーザは表示された画像の中から好みの画像を操作部２から選択する。例えば図４（ａ）において調整表示画像１０１の画像が好みの場合は操作部２からカーソルキーなどで調整表示画像１０１の画像を選択（太枠で囲まれた状態）し、決定キーなどで決定すると、調整表示画像１０１が取り込まれ図４（ｂ）のように調整表示画像１０１のみが表示される。そして図４（ｂ）右下の次へ２００を選択して操作部２の決定キーなどを押すと次の調整項目、すなわちステップＳ５に進む。また、選択をやり直したい場合は図４（ｂ）左下の戻る２０１を選択することで図３（ａ）の状態に戻ることができる。すなわち、メモリ４に記憶した調整用画像を、ガンマ値のみ異ならせた複数の調整表示画像を生成してモニタ８に表示し、表示した複数の調整表示画像のうち選択された一つの調整表示画像の画質パラメータの値をガンマ値の調整値としている。
【００２９】
ここで、ガンマ値の調整において、調整用の画像は１種類ではなく、例えば明るい色が多い画像と暗い色が多い画像の２種類用意して各々選択されたガンマ値の平均値を最終的な調整値とするなど、ガンマ値を調整するにおいて適切な画像を複数用意して各々の平均値を最終的なガンマ値としてもよい。
【００３０】
次に、ステップＳ５において、色温度の調整を行ってステップＳ６に進む。色温度の場合もガンマ値と同様に予め定めた４種類の調整値を図４のように表示してその中からユーザが選択して決定する。色温度の調整も色温度調整用の画像にて調整を行う。なお、色温度の調整時にはガンマ値はステップＳ４において選択した値を反映させている。
【００３１】
次に、ステップＳ６において、肌色の色相の調整を行ってステップＳ７に進む。色相の場合もガンマ値と同様に予め定めた４種類の調整値を図３のように表示してその中からユーザが選択して決定する。肌色の色相の調整も肌色色相調整用の画像にて調整を行う。肌色色相調整用の画像とは例えば肌色が画像全体のうち３０〜５０パーセント程度含まれていて、かつ他の色相もまんべんなく含まれているような画像が好ましい。なお、色相の調整時にはガンマ値および色温度はステップＳ４、Ｓ５において選択した値を反映させている。
【００３２】
次に、ステップＳ７において、彩度の調整を行って調整を終了し、セレクタ６を切替えてこれまで調整した画質パラメータの調整値を画像入力端子５から入力される画像に対して反映させる。彩度の場合もガンマ値と同様に予め定めた４種類の調整値を図４のように表示してその中からユーザが選択して決定する。また、彩度は肌色、シアン、青、緑の４色に対して調整を行う。すなわち、本ステップでは各色に対して専用の調整用画像を用意して、図４のような選択、決定を各色ごとに計４回行う。なお、彩度の調整用画像も肌色の色相調整と同様に調整したい色が３０〜５０パーセント程度含まれていて、かつ他の色相もまんべんなく含まれているような画像が好ましい。なお、彩度の調整時にはガンマ値、色温度および色相はステップＳ４、Ｓ５、Ｓ６において選択した値を反映させている。
【００３３】
ステップＳ８においては、ステップＳ３において選択調整が選択されたため調整するパラメータを選択しステップＳ９に進む。例えば本ステップに進むと図５のようなメニューが表示され、ユーザは操作部２からカーソルキーなどで調整したいパラメータを選択（太枠で囲まれた状態）し、決定キーなどで決定する。
【００３４】
次に、ステップＳ９において、ステップＳ８で選択されたパラメータを調整してステップＳ１０に進む。調整方法はステップＳ４〜Ｓ７と同様である。
【００３５】
次に、ステップＳ１０において、図５で調整終了が選択されたか否かを判断し、調整終了が選択された場合（Ｙの場合）は、調整を終了し、セレクタ６を切替えてこれまで調整したパラメータの調整値を画像入力端子５から入力される画像に対して反映させる。調整終了が選択されていない場合（Ｎの場合）はステップＳ８に戻る。
【００３６】
ステップＳ１１において、パラメータの調整を行いステップＳ１２に進む。本ステップではステップＳ２で通常調整が選択されたため、従来行われていた図６に示すような画面を表示し、例えば操作部２からカーソルキーなどでガンマ値を選択した場合は、スライドバー２０２を左右に動かしてガンマ値を調整する。他のパラメータも同様に調整する。
【００３７】
次に、ステップＳ１２において、図６右下の終了２０３が選択されたか否かを判断し、終了が選択された場合（Ｙの場合）は、調整を終了し、セレクタ６を切替えてこれまで調整したパラメータの調整値を画像入力端子５から入力される画像に対して反映させる。調整終了が選択されていない場合（Ｎの場合）はステップＳ１１に戻る。
【００３８】
本実施例によれば、画像の画質を調整する画像調整装置１において、お好み調整モードを選択したときに、ガンマ値、色温度、色相、彩度各々の画質パラメータに対応する調整用画像を予めメモリ４に記憶しておき、調整時には、例えばガンマ値であればガンマ値調整用の画像に対してガンマ値を４種類変化させた調整表示画像をモニタ８に表示し、その中からユーザは好みの画像を選択する。これを各パラメータに対して繰り返すことで、最終的に各画質パラメータがユーザの好みの画質の画像になるように調整される。すなわち、ユーザがガンマ値、色温度、色相、彩度等の画質パラメータの特性などを意識しなくても、簡単に好みの画像に調整可能となる。
【００３９】
また、選択調整モードを設け、このモードでも調整可能とすることで、特定の画質パラメータだけを調整することができる。例えば、１度一括調整モードで調整した後に特定のパラメータだけを再調整することが可能となる。
【実施例２】
【００４０】
次に、本発明の第２の実施例にかかる画像調整装置１を説明する。なお、前述した第１の実施例と同一部分には、同一符号を付して説明を省略する。
【００４１】
本実施例は構成およびフローチャートは第１の実施例と同様であるが、第１の実施例ではメモリ４に調整用画像１００は記憶せずに、メモリ４に予め生成した各パラメータ毎の調整表示画像を記憶することが異なる。すなわち、調整表示画像入力手段としてのメモリ４には図４（ａ）のような形態で記憶しておき、それを入力して画像がセレクタ６および画質調整部７経由で表示手段としてのモニタ８に表示させる。この際に画質調整部７では各画質パラメータが決定されるまでは何もしないで入力された画像をそのままモニタ８に出力する。画質調整部７は、図２のステップＳ４〜Ｓ７およびＳ９などで画像パラメータが決定したらその都度入力される調整表示画像に反映させる。
【００４２】
本実施例によれば、予め各画像パラメータ毎に調整表示画像をメモリ４に記憶して、画質調整時にはメモリ４から入力される調整表示画像をモニタ８に表示して調整を行うことで、調整表示画像を生成する必要がなく回路構成が単純になる。
【００４３】
さらに、第１の実施例と同様にお好み調整モードを選択したときに、ガンマ値、色温度、色相、彩度各々の画質パラメータに対応する調整用画像を予めメモリ４に記憶しておき、調整時には、例えばガンマ値であればガンマ値調整用の画像に対してガンマ値を４種類変化させた画像をモニタ８に表示し、その中からユーザは好みの画像を選択する。これを各パラメータに対して繰り返すことで、最終的に各画質パラメータがユーザの好みの画質の画像になるように調整される。すなわち、ユーザがガンマ値、色温度、色相、彩度等の画質パラメータの特性などを意識しなくても、簡単に好みの画像に調整可能となり、また、選択調整モードを設け、このモードでも調整可能とすることで、特定の画質パラメータだけを調整することができる。例えば、１度一括調整モードで調整した後に特定のパラメータだけを再調整することが可能となる。
【００４４】
なお、上述した実施例においては、調整する順序をガンマ値、色温度、色相、彩度の順で行ったがこれに限らず、他の順序で行ってもよい。また、調整したパラメータは次のパラメータの調整時に反映させていたが、反映させずに調整する画質パラメータ以外は予め定められているデフォルト値で調整を行ってもよい。
【００４５】
また、上述した実施例においては、調整するパラメータをガンマ値、色温度、色相、彩度としたが、これに限らず、コントラスト、ブライトネス、シャープネスおよびノイズリダクションの強度など画像の画質を変化させるようなパラメータに適用可能である。
【００４６】
また、上述した実施例においては、色相は肌色のみを行ったがこれに限らず、他の色を調整してもよく、さらに、複数の色相を調整してもよい。また、彩度も同様に肌色、シアン、青、緑に限らず、他の色を用いてもよく、調整する色を減らしても、または増やしてもよい。さらに、色温度についても複数の調整用画像を用意して調整を行ってもよい。
【００４７】
また、上述した実施例では１つの画質パラメータに対して４種類の調整表示画像から選択させていたが、それに限らず２種類以上であれば何種類でもよい。
【００４８】
また、各画像パラメータを調整する際の表示形態は図４のような選択された調整表示画像が太枠で囲まれるような形態に限らず、図７に示すような形態でもよい。図７は選択された調整表示画像が他の調整表示画像よりも大きく表示される例である。図７（ａ）では調整表示画像１０１が選択された状態であるが、調整表示画像１０２を選択すると図７（ｂ）のようになる。そして、決定２０４を選択して操作部２の決定キーなどを押すと図７（ｃ）のように選択された調整表示画像１０２のみが表示される。また、図８に示すように、選択された調整表示画像を画面中央に表示したり、あるいは左端など特定位置に選択された調整表示画像を表示してもよい。すなわち、表示するパラメータの値を異ならせて同時に表示するものであって、選択したものを太枠で囲んだり、大きく表示したり、特定位置に表示する等選択されたことが強調されるような表示方法であればよい。
【００４９】
また、上述した実施例ではメモリ４に記憶した調整用画像および調整表示画像を静止画で行っていたが動画で行ってもよい。また、調整用画像入力手段および調整表示画像入力手段は不揮発性の半導体メモリに限らずハードディスクや光ディスクなどを用いたり、外部入力端子などを備えてそこから入力するようにしてもよい。
【００５０】
前述した実施例によれば、以下の画像調整装置および調整方法が得られる。
【００５１】
（付記１）入力された画像に対してガンマ値を調整可能な画質調整部７を備えた画像調整装置１において、ガンマ値を調整するための調整用画像１００のガンマ値を異ならせた４つの調整表示画像１０１、１０２、１０３、１０４を表示するモニタ８と、モニタ８に表示した４つの調整表示画像１０１、１０２、１０３、１０４のうち選択された一つの調整表示画像１０１を取り込む操作部２と、操作部が取り込んだ調整用画像１０１のガンマ値に基づいて入力画像を画質調整部７に調整させるように制御するＣＰＵ３と、を備えたことを特徴とする画像調整装置１。
【００５２】
この画像調整装置１によれば、ユーザは調整用画像１００のガンマ値だけを変化させた４つの調整表示画像１０１、１０２、１０３、１０４の中から好みの画質の画像を選択すればよいので、ガンマ値の意味や特性を理解して値を直接操作しなくても直感的に画質調整を行うことができる。
【００５３】
（付記２）入力された画像に対してガンマ値を調整可能な画像調整方法において、
ガンマ値を調整するための調整用画像１００のガンマ値を異ならせた４つの調整表示画像１０１、１０２、１０３、１０４を表示し、表示した４つの調整表示画像１０１、１０２、１０３、１０４のうち選択された一つの調整表示画像１０１を取り込んで、一つの調整表示画像１０１のガンマ値に基づいて入力画像を調整することを特徴とする画像調整方法。
【００５４】
この画像調整方法によれば、ユーザは調整用画像１００のガンマ値だけを変化させた４つの調整表示画像１０１、１０２、１０３、１０４の中から好みの画質の画像を選択すればよいので、ガンマ値の意味や特性を理解して値を直接操作しなくても直感的に画質調整を行うことができる。
【００５５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５６】
【図１】本発明の一実施例にかかる画像調整装置のブロック図である。
【図２】図１に示された画像調整装置の画質パラメータ調整動作を示したフローチャートである。
【図３】調整用画像の例を示した説明図である。
【図４】調整表示画像の表示形態を示した説明図である。
【図５】選択調整時にモニタに表示されるメニューを示した説明図である。
【図６】通常調整時にモニタに表示される内容を示した説明図である。
【図７】調整表示画像の別の表示形態を示した説明図である。
【図８】調整表示画像のさらに別の表示形態を示した説明図である。
【符号の説明】
【００５７】
１        画像調整装置
２        操作部（取り込み手段）
３        ＣＰＵ（制御手段）
４        メモリ（調整用画像入力手段、調整表示画像入力手段）
７        画質調整部（調整手段、画像生成手段）
８        モニタ（表示手段）
１００    調整用画像
１０１、１０２、１０３、１０４ 調整表示画像
Ｓ４      ガンマ値調整（調整手段）
Ｓ５      色温度調整（調整手段）
Ｓ６      色相調整（調整手段）
Ｓ７      彩度調整（調整手段）
Ｓ８      選択パラメータ調整（調整手段）
【図１】
2007235506.tif 000003
【図２】
2007235506.tif 000004
【図３】
2007235506.tif 000005
【図４】
2007235506.tif 000006
【図５】
2007235506.tif 000007
【図６】
2007235506.tif 000008
【図７】
2007235506.tif 000009
【図８】
2007235506.tif 000010